(57)【特許請求の範囲】
【請求項１】
開閉可能に連結された上箱と下箱で構成された平面視長方形状のＣＡＴＶ機器用ボックスであって、上箱はＦＴＴＨ端末が取り付け可能な上面と周壁とを有し、下箱は下面と周壁を有し、
上箱の短手中央のそれぞれの周壁から突出するボックス固定用部材と、上箱の短手の周壁から突出する光ケーブル接続端子とを有し、
下箱の下面に引込ケーブルと接続される光ケーブル接続端子または同軸ケーブル接続端子を有することを特徴とするＣＡＴＶ機器用ボックス。
【請求項２】
ボックス固定用部材の側面に取り付けられ、ボックス固定用部材の上方に延出しているワイヤー取り付け部材を備えている事を特徴とする請求項１に記載のＣＡＴＶ機器用ボックス。
【請求項３】
ワイヤー取り付け部材は、ボックス固定用部材に取り付けられる鉛直部と立面視コ字状部を有し、コ字状部の下部の開口側に鉛直部が位置し、コ字状部の上部の開口側に立面視山形のワイヤー受部を有し、コ字状部の鉛直部に設けられた孔に挿入され、かつ、ワイヤー受部側に延出しているワイヤー挟み板を有し、ワイヤー受部とワイヤー挟み板とでワイヤーを挟む事を特徴とする請求項２に記載のＣＡＴＶ機器用ボックス。
【請求項４】
上箱の周壁下部は下向きに開口を有する凹部を有し、この開口に下箱の周壁上部が挿入され、上箱が移動しないで下箱が下方に移動して開く事を特徴とする請求項１〜３のいずれか一項に記載のＣＡＴＶ機器用ボックス。
【請求項５】
周壁下部の開口に下箱の周壁上部を挿入した状態で、下箱の周壁上部の上方に空気だまりが形成されている事を特徴とする請求項４に記載のＣＡＴＶ機器用ボックス。
【請求項６】
上箱の短手の長手側に周壁下方に延出するＯ環部材が設けられ、下箱の短手の長手側に設けられた凸部がＯ環状材の内側を上下方向に可動であることを特徴とする請求項１〜３のいずれか一項に記載のＣＡＴＶ機器用ボックス。
【請求項７】
電源（ＡＶＲ）、ＦＴＴＨ端末、Ｔａｐを内蔵可能である事を特徴とする請求項１〜６のいずれか一項に記載のＣＡＴＶ機器用ボックス。
【発明の詳細な説明】
【技術分野】
【０００１】
本発明は、ＣＡＴＶ機器用ボックスに関するものである。
【背景技術】
【０００２】
ＣＡＴＶ業界では、ＨＦＣ（hybrid fiber coax）から、ＦＴＴＨ（Fiber To The Home）へ設備をリニューアルする動きが活発化してきている。
【０００３】
従来のＨＦＣ方式は、図１９に示すように、光ファイバと同軸ケーブルとが接続される光Ｎｏｄｅ１００が住宅から離れた場所に設置され、Ｎｏｄｅ１００からＡｍｐ１１０とＴａｐ１２０とを介して同軸ケーブルが住宅まで引き込まれていた。尚、同軸ケーブルを使用する場合は、電源であるＰＳ１３０と同軸ケーブルを接続する接続器ＰＩ１４０が必要である。
【０００４】
例えば、光Ｎｏｄｅ１００の一例として、特許文献１に示す技術が提案されている。この特許文献１は、光伝送のＣＡＴＶシステムにおいて、例えば、下り光信号を電気信号に変換して端末側の同軸ケーブルに伝送させたり、上り電気信号を光信号に変換して幹線光ケーブルに伝送させたりするＣＡＴＶ用光伝送機器に関するものであり、光ケーブルに直接接続して使用できるように直線接続箱の機能を備えた光伝送装置を開示している。
【先行技術文献】
【特許文献】
【０００５】
【特許文献１】特開平１１−６９３３５号公報
【発明の概要】
【発明が解決しようとする課題】
【０００６】
しかし、ＨＦＣからＦＴＴＨへ設備をリニューアルする際に、（１）同軸ケーブルから光ケーブルへの引込ケーブルの交換費用が高額であること、（２）加入者不在等の理由で、交換工事が計画的に進まないこと等の問題があった。
【０００７】
そこで、本発明は、引込ケーブルの交換工事を必要としないＣＡＴＶ機器用ボックスを提供することを目的とする。
【課題を解決するための手段】
【０００８】
上記課題を解決するために、請求項１に記載のＣＡＴＶ機器用ボックスに係る発明は、例えば、図１〜図３に示すように、
開閉可能に連結された上箱と下箱で構成された平面視長方形状のＣＡＴＶ機器用ボックスであって、上箱はＦＴＴＨ端末が取り付け可能な上面と周壁とを有し、下箱は下面と周壁を有し、
上箱の短手中央のそれぞれの周壁から突出するボックス固定用部材と、上箱の短手の周壁から突出する光ケーブル接続端子とを有し、
下箱の下面に引込ケーブルと接続される光ケーブル接続端子または同軸ケーブル接続端子を有する事を特徴とする。
【０００９】
請求項１に記載のＣＡＴＶ機器用ボックスに係る発明によれば、特に、上箱はＦＴＴＨ端末が取り付け可能な上面と周壁とを有し、下箱の下面に引込ケーブルと接続される同軸ケーブル接続端子を有するので、引込ケーブルの交換工事を必要としないＣＡＴＶ機器用ボックスを提供することができる。
【００１０】
請求項２に記載のＣＡＴＶ機器用ボックスに係る発明は、例えば、図７〜図１０に示すように、ボックス固定用部材の側面に取り付けられ、ボックス固定用部材の上方に延出しているワイヤー取り付け部材を備えている事を特徴とする。
【００１１】
請求項２に記載のＣＡＴＶ機器用ボックスに係る発明によれば、ボックス固定用部材の側面に取り付けられ、ボックス固定用部材の上方に延出しているワイヤー取り付け部材を備えているので、既設のワイヤーにワイヤー取り付け部材を用いて、ＣＡＴＶ機器用ボックスを取り付けることができる。
【００１２】
請求項３に記載のＣＡＴＶ機器用ボックスに係る発明は、例えば、図７〜図１０に示すように、ワイヤー取り付け部材は、ボックス固定用部材に取り付けられる鉛直部と立面視コ字状部を有し、コ字状部の下部の開口側に鉛直部が位置し、コ字状部の上部の開口側に立面視山形のワイヤー受部を有し、コ字状部の鉛直部に設けられた孔に挿入され、かつ、ワイヤー受部側に延出しているワイヤー挟み板を有し、ワイヤー受部とワイヤー挟み板とでワイヤーを挟む事を特徴とする。
【００１３】
請求項３に記載のＣＡＴＶ機器用ボックスに係る発明によれば、ワイヤー取り付け部材は、ボックス固定用部材に取り付けられる鉛直部と立面視コ字状部を有し、コ字状部の下部の開口側に鉛直部が位置し、コ字状部の上部の開口側に立面視山形のワイヤー受部を有し、コ字状部の鉛直部に設けられた孔に挿入され、かつ、ワイヤー受部側に延出しているワイヤー挟み板を有し、ワイヤー受部とワイヤー挟み板とでワイヤーを挟むので、既設のワイヤーにＣＡＴＶ機器用ボックスを容易かつ簡単な構成で取り付けることができる。
【００１４】
請求項４に記載のＣＡＴＶ機器用ボックスに係る発明は、例えば、図５および図６に示すように、上箱の周壁下部は下向きに開口を有する凹部を有し、この開口に下箱の周壁上部が挿入され、上箱が移動しないで下箱が下方に移動して開く事を特徴とする。
【００１５】
請求項４に記載のＣＡＴＶ機器用ボックスに係る発明によれば、上箱の周壁下部は下向きに開口を有する凹部を有し、この開口に下箱の周壁上部が挿入され、上箱が移動しないで下箱が下方に移動して開くので、上箱、下箱の接合部が二重に重なって防水性を確保することができる。
【００１６】
請求項５に記載のＣＡＴＶ機器用ボックスに係る発明は、例えば、図１〜図４に示すように、周壁下部の開口に下箱の周壁上部を挿入した状態で、下箱の周壁上部の上方に空気だまりが形成されている事を特徴とする。
【００１７】
請求項５に記載のＣＡＴＶ機器用ボックスに係る発明によれば、周壁下部の開口に下箱の周壁上部を挿入した状態で、下箱の周壁上部の上方に空気だまりが形成されているので、空気溜まりにより防滴効果を奏することができる。
【００１８】
請求項６に記載のＣＡＴＶ機器用ボックスに係る発明は、例えば、図３に示すように、上箱の短手の長手側に周壁下方に延出するＯ環部材が設けられ、下箱の短手の長手側に設けられた凸部がＯ環状材の内側を上下方向に可動である事を特徴とする。
【００１９】
請求項６に記載のＣＡＴＶ機器用ボックスに係る発明によれば、上箱の短手の長手側に周壁下方に延出するＯ環部材が設けられ、下箱の短手の長手側に設けられた凸部がＯ環状材の内側を上下方向に可動であるので、上箱、下箱の接合部が二重に重なって防水性を確保しながら、下箱の開閉を容易に行うことができる。
【００２０】
請求項７に記載のＣＡＴＶ機器用ボックスに係る発明は、電源（ＡＶＲ）、ＦＴＴＨ端末、Ｔａｐを内蔵可能である事を特徴とする。
【００２１】
請求項7に記載のＣＡＴＶ機器用ボックスに係る発明によれば、電源（ＡＶＲ）、ＦＴＴＨ端末、Ｔａｐを内蔵可能であるので、必要に応じて、電源（ＡＶＲ）、ＦＴＴＨ端末、Ｔａｐのいずれかを内蔵した各種機器を設置することができる。
【発明の効果】
【００２２】
本発明によれば、引込ケーブルの交換工事を必要としないＣＡＴＶ機器用ボックスを提供するＣＡＴＶ機器用ボックスを提供することができる。
【図面の簡単な説明】
【００２３】
【図１】本発明に係るＣＡＴＶ機器用ボックスの一例を示す斜視図である。
【図２】本発明に係るＣＡＴＶ機器用ボックスを開いた状態の一例を示す斜視図である。
【図３】（ａ）〜（ｄ）は、本発明に係るＣＡＴＶ機器用ボックスを開く工程の一例を示す立面図である。
【図４】（ａ）および（ｂ）は、本発明に係るＣＡＴＶ機器用ボックス上箱と下箱の接合部の一例を示す部分拡大図である。
【図５】図１のＩ−Ｉ断面図である。
【図６】図５のＡ部拡大図を示す図である。
【図７】本発明に係るＣＡＴＶ機器用ボックスの使用例を示す上方斜視図である。
【図８】本発明に係るＣＡＴＶ機器用ボックスの使用例を示す下方斜視図である。
【図９】本発明に係るＣＡＴＶ機器用ボックスのワイヤー取り付け部材を示す斜視図である。
【図１０】本発明に係るＣＡＴＶ機器用ボックスのワイヤー取り付け部材を示す分解斜視図である。
【図１１】ＯＮ／ＯＦＦ用電源チップを内蔵したＣＡＴＶ機器用ボックスの構成例を示す平面図である。
【図１２】ＯＮ／ＯＦＦ用電源チップを内蔵したＣＡＴＶ機器用ボックスの、他の構成例を示す平面図である。
【図１３】本発明のＣＡＴＶ機器用ボックスを用いたＦＴＴＨ方式の構成例を示す模式図である。
【図１４】本発明のＣＡＴＶ機器用ボックスを用いたＦＴＴＨ方式の変形例を示す模式図である。
【図１５】本発明のＣＡＴＶ機器用ボックスを用いた監視カメラの設置例を示す模式図である。
【図１６】本発明のＣＡＴＶ機器用ボックスを用いたＦＴＴＨ方式の変形例を示す模式図である。
【図１７】本発明のＣＡＴＶ機器用ボックスを用いたＨＦＣ方式とＦＴＴＨ方式を併用した一例を示す模式図である。
【図１８】ＣＡＴＶ機器用ボックス、その他の組み合わせ例を示す模式図である。
【図１９】従来のＨＦＣ方式の構成例を示す模式図である。
【発明を実施するための形態】
【００２４】
以下に、図面を参照して、本発明の一実施の形態について説明する。
【００２５】
＜実施の形態＞
図１〜図１２は、本発明に係るＣＡＴＶ機器用ボックスの実施の形態を示す。
図１〜図３に示すように、本発明に係るＣＡＴＶ機器用ボックス１は、Ｏ環状材３で開閉可能に連結された黒色の強化プラスチックからなる上箱５と下箱７で構成された平面視長方形状のＣＡＴＶ機器用ボックス１であって、上箱５は上面９と周壁１１ａとを有し、下箱７は下面１３と周壁１１ｂを有し、上箱５の短手中央上部のそれぞれの周壁１１ａから突出するボックス固定用部材１５と、上箱５の短手の周壁１１ａから突出する光ケーブル接続端子１９と電源ケーブル挿入部１７を有している。
【００２６】
そして、上箱５の上面９に、ＦＴＴＨ端末２１と、３０Ｖまたは６０Ｖまたは９０Ｖを１００Ｖに変換するＡＶＲ２３とが取り付けられ、下箱７の下面１３に引込ケーブルと接続される複数の同軸ケーブル接続端子２５と、水抜き穴２７と、結露を少なくするためにベントフィルタ２９を有している。ＡＶＲ２３には、１００Ｖのコンセントが設けられている。更に電源回路として、電源スイッチやブレーカを取り付けても良い。下箱７の同軸ケーブル接続端子２５の一つは、テストポイントとして設けられ、既設の引込ケーブルを取り外さずに通信状態を確認することができる。
【００２７】
また、ＦＴＴＨ端末２１は、同軸分配器としての機能を有している。そして、上箱５と下箱７を黒色にすることにより、日光等の反射を抑えることができる。この箱の色は、白色、灰色等状況に応じた色にすることができる。
【００２８】
更に、光ケーブル接続端子１９には、光ファイバをワンタッチで接続できる。
【００２９】
上箱５と下箱７は、閉じた状態において、上箱５の長手側の周壁１１ａにある複数の縦長の溝３１の下部に設けられた孔に複数のネジ３３が挿入され、下箱７の複数のネジ穴３５に羅合されている。本実施の形態では、対向する長手方向のそれぞれにおいて、３か所でネジ止めされている。
【００３０】
また、図１に示すように、上箱５の上面９は、立面視山形状に形成されており、水滴が上面９から下方に流れるように設計されている。一方、図８に示すように、下箱７の下面１３は、長手方向において、同軸ケーブル接続端子２５が設けられる部分が上方に凹んだ状態で段差になり、同軸ケーブル接続端子２５がある下面が降雨時に濡れにくいように設計されている。
【００３１】
ボックス固定用部材１５は、1本の筒状の棒が上面９の山形状の部分に貫通され、周壁１１ａの外側に延出している。これにより、上箱５の内部の上面９にＦＴＴＨ端末２１等の機器を取り付ける平面を設けることができる。また、図５に示すように、ＦＴＴＨ端末２１等の機器は、上箱５の上面９に取り付けられている板３７に固定されている。
【００３２】
図７〜図１０に示すように、ボックス固定用部材１５の側面には、ボックス固定用部材１５の上方に延出しているワイヤー取り付け部材３９が取り付けられている。このワイヤー取り付け部材３９は、ボックス固定用部材１５の側面を水平方向に貫通している複数の孔に、ボルト４１とナット４３で締め付けられ固定されている。
【００３３】
図９および図１０に示すように、ワイヤー取り付け部材３９は、ボックス固定用部材１５に取り付けられる鉛直部４５と立面視コ字状部を有している。そして、コ字状部の下部の開口側に鉛直部４５が位置し、コ字状部の上部の開口側に立面視山形のワイヤー受部４９を有し、コ字状部の鉛直部４５に設けられた孔に挿入され、かつ、ワイヤー受部４９側に延出しているＴ型のワイヤー挟み板５１を有し、ワイヤー受部４９とワイヤー挟み板５１とでワイヤーを挟んで、ボルト４１とナット４３で固定されている。このボルト４１には、ワッシャー４２が挿入されている。鉛直部４５には、左右方向にそれぞれ縦長の孔が設けられており、ボックス固定用部材１５の位置を上下に調整することにより、ＣＡＴＶ機器用ボックス１を水平に設置することができる。
【００３４】
図５および図６に示すように、上箱５の周壁下部５３は、下向きに開口を有する凹部５５を有し、この開口に下箱７の周壁上部５７が挿入されている。凹部５５は内側の板部５９と外側の板部６１とから形成され、外側の板部６１は内側の板部５９より下方に延出している。下箱７の周壁上部５７には、内側の段差６３と外側の段差６５が設けられている。外側の段差６５は内側の段差６３より下方に設けられている。
【００３５】
そして、上箱５の内側の板部５９が下箱７の内側の段差６３に当接した状態で、上箱５の外側の板部６１が下箱７の外側の段差６５に当接していない状態となっており、かつ、上箱５の外側の板部６１が下箱７の周壁上部５７の外周面６７に当接していない状態となっている。更に、周壁下部５３の開口に下箱７の周壁上部５７を挿入した状態で、下箱７の周壁上部５７の上方に空気だまり６９が形成されている。
【００３６】
図１〜図４（ｂ）に示すように、上箱５の短手の長手側に周壁１１ａの下方に延出するＯ環部材３が設けられ、下箱７の短手の長手側に設けられた凸部７１がＯ環状材３の内側を上下方向に可動である。凸部７１は、下箱７の横向きのネジ穴７３に羅合されているネジ３３の頭部である。
【００３７】
＜ＣＡＴＶ機器用ボックス１の開閉動作＞
図３（ａ）〜図３（ｄ）を参照して、ＣＡＴＶ機器用ボックス１の開閉動作について説明する。
【００３８】
図３（ａ）は、ＣＡＴＶ機器用ボックス１が既設のワイヤー４８に取り付けられ、上箱５と下箱７が閉じられている例を示している。
【００３９】
まず、図３（ｂ）に示すように、複数のネジ３３を取り外し、図３（ｃ）に示すように、下箱７の周壁上部５７を上箱５の凹部５５から抜き出すように下箱７を下方に移動させる。下箱７は、横向きのネジ穴７３に羅合されているネジ３３の頭部がＯ環部材の内側の下部に当接するまで下方に移動する。この状態で、上箱５の周壁１１ａと凹部下箱の周壁上部５７とが離間した状態となる。
【００４０】
そして、図３（ｄ）に示すように、下箱７は、ネジ３３の頭部を軸として右下側に回転し、ＣＡＴＶ機器用ボックス１が開いた状態となる。このように、上箱が固定された状態で、下箱７が移動して開くことにより、ＣＡＴＶ機器用ボックス１が濡れている場合においても、上箱５に取り付けられた機器が濡れることを防止できる。
【００４１】
図１３は、図１９のＴａｐと同じ位置にＣＡＴＶ機器用ボックス１を配置した例を示している。そして、ＣＡＴＶ機器用ボックス１の上箱５に、ＦＴＴＨ端末２１と、Ｔａｐ１２０と、ＡＶＲ２３を取り付けて収納している。これにより、既設の引込ケーブルを同軸ケーブルのまま、ＦＴＴＨ端末を利用することができる。
【００４２】
＜変形例１＞
上記実施の形態においては、下箱７の下面１３に複数の同軸ケーブル接続端子２５が設けられ、既設の引込ケーブルを同軸ケーブルのままにしている例について説明した。
【００４３】
しかし、これに限られず、下箱７の下面１３に光ケーブル接続端子を設けても良い。この場合、図１４に示すように、ＣＡＴＶ機器用ボックス１内に、光クロージャ７５を設けることにより、引込ケーブルを光ファイバにすることができる。
【００４４】
＜変形例２＞
上記実施の形態においては、ＣＡＴＶ機器用ボックス１内にＦＴＴＨ端末２１等を収納した例について説明した。
【００４５】
しかし、これに限られず、図１５に示すように、ＣＡＴＶ機器用ボックス１内にＣａｂｌｅ  Ｍoｄｅｍ７７とＰｏＥ７８とＡＶＲ２３とを取り付けても良い。Ｃａｂｌｅ  Ｍoｄｅｍ７７とＰｏＥ７８は、ＡＶＲ２３に接続されている。また、Ｃａｂｌｅ  Ｍoｄｅｍ７７は、Ｔａｐ１２０に接続されている。この他、ＰｏＥ７８は監視カメラ７９に接続され、ＡＶＲ２３はＰＩ１４０に接続されている。そして、監視カメラ７９の映像を、遠隔地に送信することができる。
【００４６】
＜変形例３＞
上記実施の形態においては、ＣＡＴＶ機器用ボックス１内にＦＴＴＨ端末２１等を収納した例について説明した。
【００４７】
しかし、これに限られず、図１６に示すように、ＣＡＴＶ機器用ボックス１内に、Ｃａｂｌｅ  Ｍoｄｅｍ７７とＷｉＦｉ８１とＡＶＲ２３とを取り付けても良い。Ｃａｂｌｅ  Ｍoｄｅｍ７７とＷｉＦｉ８１は、ＡＶＲ２３に接続されている。また、Ｃａｂｌｅ  Ｍoｄｅｍ７７はＴａｐ１２０に接続され、ＡＶＲ２３はＰＩ１４０に接続されている。そして、ＣＡＴＶ機器用ボックス１内にＷｉＦｉ８１を取り付けることにより、住宅にルータを設置することなく無線通信が可能となる。
【００４８】
＜変形例４＞
上記実施の形態においては、ＨＦＣ方式からＦＴＴＨ方式にする例について説明した。
【００４９】
しかし、これに限られず、図１７に示すように、複数のＣＡＴＶ機器用ボックス１を直列接続し、各ボックスに同軸ケーブルと光ファイバを接続することにより、ＨＦＣ方式とＦＴＴＨ方式を併用しても良い。各ＣＡＴＶ機器用ボックス１内には、必要に応じて、ＦＴＴＨ機器２１、ＰｏＥ７８、ＷｉＦｉ８１等を設置することができる。
【００５０】
＜変形例５＞
上記実施の形態においては、ＦＴＴＨ端末とＡＶＲを上箱の上面に取り付ける例について説明した。
【００５１】
前記の例のように、一つのＣＡＴＶ機器用ボックス１内に、電源（ＡＶＲ２３）、ＦＴＴＨ端末２１、Ｔａｐ１２０を全て内蔵させても良い。また、一つのＣＡＴＶ機器用ボックス１内に、電源（ＡＶＲ２３）、ＦＴＴＨ端末２１、Ｔａｐ１２０、或いはＰｏＥ７８、ＷｉＦｉ８１等を、それぞれ単独で、或いはそれらの組み合わせたものを内蔵し、これらを内蔵した複数のＣＡＴＶ機器用ボックス１を電源ケーブルまたは光ケーブルで接続することにより、前記実施形態や前記変形例と同様な機能を実現できる。更に、図１８に示すような接続形態も可能となる。
【００５２】
このとき、ＯＮ／ＯＦＦ用電源チップ９０を内蔵したＣＡＴＶ機器用ボックス１は、図１１に示すように電源ケーブル挿入部１７を２個、光ケーブル接続端子１９を２個備えるものであっても良いし、また、図１２に示すように、電源ケーブル挿入部１７を４個備えるものであっても良い。
【００５３】
更に、ＣＡＴＶ機器用ボックス１は、４個の光ケーブル接続端子１９を備えるものとし、その内の２個について、端子口のアタッチメントを取り替えることにより、図１１に示すように、電源ケーブル挿入部１７を２個備えるようにしても良い。
【００５４】
このように、ＣＡＴＶ機器用ボックス１は、計４個の端子口を備えており、必要に応じて端子口のアタッチメントを取り替えることにより、光ケーブル接続端子１９と電源ケーブル挿入部１７を形成するものである。
【００５５】
更に、このような端子口を備えることにより、設置箇所の電源ケーブルや光ケーブル等の位置にあわせて、右からでも左からでも接続が可能となる。
【符号の説明】
【００５６】
１  ＣＡＴＶ機器用ボックス
３  Ｏ環状材
５  上箱
７  下箱
９  上面
１１ａ，１１ｂ  周壁
１３  下面
１５  ボックス固定用部材
１７  電源ケーブル挿入部
１９  光ケーブル接続端子
２１  ＦＴＴＨ端末
２３  ＡＶＲ
２５  同軸ケーブル接続端子
２７  水抜き穴
２９  ベントフィルタ
３１  溝
３３  ネジ
３５  ネジ穴
３７  板
３９  ワイヤー取り付け部材
４１  ボルト
４２  ワッシャー
４３  ナット
４５  鉛直部
４７  コ字状部
４８  既設のワイヤー
４９  ワイヤー受部
５１  ワイヤー挟み板
５３  周壁下部
５５  凹部
５７  周壁上部
５９  内側の板部
６１  外側の板部
６３  内側の段差
６５  外側の段差
６７  外周面
６９  空気だまり
７１  凸部
７３  横向きのネジ穴
７５  光クロージャ
７７  Ｃａｂｌｅ  ｄｅｍ
７９  監視カメラ
８１  ＷｉＦｉ
９０  ＯＮ／ＯＦＦ用電源チップ
【図１】
0006039148.tif 000002
【図２】
0006039148.tif 000003
【図３】
0006039148.tif 000004
【図４】
0006039148.tif 000005
【図５】
0006039148.tif 000006
【図６】
0006039148.tif 000007
【図７】
0006039148.tif 000008
【図８】
0006039148.tif 000009
【図９】
0006039148.tif 000010
【図１０】
0006039148.tif 000011
【図１１】
0006039148.tif 000012
【図１２】
0006039148.tif 000013
【図１３】
0006039148.tif 000014
【図１４】
0006039148.tif 000015
【図１５】
0006039148.tif 000016
【図１６】
0006039148.tif 000017
【図１７】
0006039148.tif 000018
【図１８】
0006039148.tif 000019
【図１９】
0006039148.tif 000020